(57)【要約】【課題】セキュリティの確立した決済専用端末と、情報端末とにより、実用的かつ低コストで高セキュリティな決済処理システムを提供する。【解決手段】決済専用端末と、情報端末とを接続し、決済用情報処理センタとは情報端末を介して通信し、カードデータ入力や暗証番号入力は決済専用端末から入力し、決済に必要な機密情報は決済専用端末にのみ保持し、決済用情報処理センタとの通信データで暗号化が必要なデータは決済専用端末で暗号化を行い、情報端末はこの暗号処理されたデータをそのまま決済用情報処理センタへ送信する。【選択図】  図１
2004355211.tif 000002
【特許請求の範囲】
【請求項１】
決済情報を入力可能な決済端末と、前記決済端末と通信を行う情報端末と、前記情報端末と通信を行い決済情報の管理を行う決済用情報処理センターとからなる決済処理システムであって、前記決済端末は、情報記録担体に記憶されている情報を読み取る情報読取部と、暗証番号等の数値情報を入力するキー入力部と、取り込んだ情報を暗号化する暗号化部と、前記情報端末との通信を行う外部機器通信部とを有し、前記情報端末は、前記決済端末との通信を行う第１の通信部と、前記決済用情報処理センターとの通信を行う第２の通信部と、前記決済端末から受信した情報を処理せずに受信したまま前記決済用情報処理センターに送信するおよび／または前記決済用情報処理センターから受信した情報を処理せずに受信したまま前記決済端末に送信するプログラムとを有し、前記決済用情報処理センターは、前記情報端末との通信を行う通信部と、前記情報端末を介して受け取った前記決済端末で暗号化された情報を復号化する復号化部とを有する決済システム。
【請求項２】
情報端末は携帯可能である請求項１記載の決済システム。
【請求項３】
情報端末は携帯可能なパーソナルコンピュータである請求項１記載の決済システム。
【請求項４】
決済端末と情報端末とは有線により通信を行う請求項１から３のいずれか１項に記載の決済システム。
【請求項５】
決済端末は電源部を有し、前記決済端末は、給電機能を有する情報端末と有線により接続されている場合は前記情報端末から電力の供給を受け、給電機能のない情報端末と接続されている場合は前記電源部から電力の供給を受ける請求項１から４のいずれか１項に記載の決済システム。
【発明の詳細な説明】
【０００１】
【発明の属する技術分野】
本発明は決済処理システムに関するものである。
【０００２】
【従来の技術】
従来の決済処理システムは、クレジット／デビットカードの情報や決済金額などの決済情報を入力する決済端末が電話回線などを介して決済用の認証／情報処理サービスを提供するＣＡＦＩＳに接続され、ＣＡＦＩＳから当該のそれぞれの情報処理センタへ接続されて決済情報が処理されている。
【０００３】
決済端末は図７に示されるようなクレジットカードやデビットカードなどに記録されている決済用のデータを読み取るカードリーダ部、決済用のテーブルなどの各種データや、アプリケーションプログラムなどを格納するメモリ部、決済金額などを入力するキー入力部、決済金額などを表示する表示部、決済処理伝票などを印字するプリンタ部、暗証番号入力のための暗証ピンパッドを接続するピンパッド通信部、データの盗聴を防止するためにデータの暗号処理を行なう暗号化部、ＰＯＳやパーソナルコンピュータなどの外部機器と連動するための外部機器通信部、アナログやＩＳＤＮ、ＰＨＳなどの電話機能を有するＷＡＮ通信部などから構成されている。
【０００４】
また、こうした決済端末は図６に示すようにネットワークを介して情報処理センタやＣＡＦＩＳ、さらにはＣＡＦＩＳからクレジット会社や銀行の情報処理センタまたは決済用情報処理センタへ接続され、決済の認証や決済データの処理を行なっている。
【０００５】
決済端末にはカードデータの不正入手を不可能にするための対策が取られており、クレジットカードなどの偽造を防止している。また、内部で取り扱うデータは必要に応じて暗号化が行なわれており、事実上、データの盗聴は不可能となっている。このように決済端末は耐タンパー性の確保、データの暗号化が行われており、セキュリティに対しては充分考慮されたものとなっている。そうした上で内蔵する電話通信機能を介して各種センタと接続して安全に決済処理を行なっている。
【０００６】
こうして決済端末は単独で店舗に設置され、クレジットやデビットカードによる決済に使用されている。一方、ＰＯＳ端末やパーソナルコンピュータなどの情報端末が使用されている店舗ではそれら情報端末と決済端末を接続し売上金額を情報端末から決済端末へ送信してクレジットカードやデビットカードによって決済することが行なわれている。
【０００７】
特許文献１は１枚のクレジットカードで複数の機関のサービスを享受できるクレジットカード及びクレジットカードの取扱方法に関するもので、８ページ図１に示されるように決済端末は内蔵する電話通信機能で通信回線を通してＣＡＦＩＳや情報処理センタに接続される。
【０００８】
特許文献２はユーザと契約機関との間で締結される電子商取引サービスの加入契約に際して、該契約の仲介を行なうための加入契約仲介方法及びその方法を実行するための移動通信網に関するものであるが、クレジットシステムを構成する決済端末は同様に内蔵する電話通信機能で通信回線を通してＣＡＦＩＳや情報処理センタに接続される。
【０００９】
【特許文献１】
特開２００２−１５７４３０号公報
【特許文献２】
特開２００１−１６７１８７号公報
【００１０】
【発明が解決しようとする課題】
しかしながら、多くの場合、情報端末も内蔵または外付けの電話通信機能を持っており、このような場合は決済端末と情報端末の両方が電話通信機能を持つことになり効率的とは言えない。また、ＰＯＳ端末やパーソナルコンピュータは、揮発性メモリ上のデータを消去、あるいは無効化するような、耐タンパー性の構造となっていない。また、暗号化処理もより確実安全に行なうため可能な限り暗号化が必要なデータが入力された直後に行なうことが望ましい。
【００１１】
本発明は、上記従来の課題に鑑み、なおかつ安全性のより高い決済処理システムを提供することを目的としている。
【００１２】
【課題を解決するための手段】
上記目的を達成するために、本発明の決済処理システムは、決済情報を入力可能な決済端末と、前記決済端末と通信を行う情報端末と、前記情報端末と通信を行い決済情報の管理を行う決済用情報処理センターとからなる決済処理システムであって、前記決済端末は、情報記録担体に記憶されている情報を読み取る情報読取部と、暗証番号等の数値情報を入力するキー入力部と、取り込んだ情報を暗号化する暗号化部と、前記情報端末との通信を行う外部機器通信部とを有し、前記情報端末は、前記決済端末との通信を行う第１の通信部と、前記決済用情報処理センターとの通信を行う第２の通信部と、前記決済端末から受信した情報を処理せずに受信したまま前記決済用情報処理センターに送信するおよび／または前記決済用情報処理センターから受信した情報を処理せずに受信したまま前記決済端末に送信するプログラムとを有し、前記決済用情報処理センターは、前記情報端末との通信を行う通信部と、前記情報端末を介して受け取った前記決済端末で暗号化された情報を復号化する復号化部とを有するものである。
【００１３】
【発明の実施の形態】
本実施の形態によれば、情報端末を携帯可能な端末で構成することにより移動しながらの決済が可能となり、また、携帯可能なパーソナルコンピュータなどで構成することにより決済以外の用途、例えば営業支援のアプリケーションソフトなどを活用することが出来る。
【００１４】
決済端末は電源部を有し、決済端末と有線による給電機能を有する情報端末とを接続させる場合、決済端末が電源部を有していても決済端末は、前記情報端末から電力の供給を選択的に受けることが出来る。また、給電機能のない情報端末と接続されている場合は前記電源部から電力の供給を受けてシステムを動作させることが出来る。
【００１５】
以下、本発明の実施の形態１について、図１、図２、図３、図４を用いて説明する。図１は、本実施の形態における決済端末の機能ブロック図である。携帯端末は、決済伝票を印字するプリンタ部１１、磁気カードの情報を読取る磁気カードリーダ部１２、表示部１３、テンキー、ファンクションキー等を有するキー入力部１４、ＩＣカードの情報を読取るＩＣカードリーダライタ部１５、メモリ部１６、磁気カード、ＩＣカードリーダから読取った情報の中で必要な情報を暗号化する暗号化部１７、決済端末本体とプリンタ部１１とをつなぐインターフェース部１８、外部との通信を行なう通信部１９、演算処理部２０とを有する。
【００１６】
本発明よりなる決済端末１は決済に必要な情報の盗聴を防止するための耐タンパー構造と不正操作検出処理部を有しており、これら暗号処理や耐タンパー構造により高いセキュリティ性を有している。また、決済端末はバッテリやＡＣアダプタ電源入力部などの電源部を有している。
【００１７】
本実施の形態よりなるシステムは図２に示す通りである。すなわち、磁気カード、ＩＣカードによる決済を行なうための決済端末１と、この決済端末１や通信回線との間で信号の送受信を行なう情報端末と、この情報端末２の送受信部７と優先または無線でつながる通信回線３と、この通信回線３を介して情報端末２と通信する情報処理センタ４と、通信回線３につながるＣＡＦＩＳ５、このＣＡＦＩＳ５及び情報処理センタ５とつながるクレジット会社／銀行６によって本実施の形態のシステムは構成される。情報端末３には携帯可能なＰＤＡ（パーソナル・デジタル・アシスタント）や携帯可能なＰＣ（パーソナル・コンピュータ）や携帯電話を使用できる。
【００１８】
決済端末１と情報端末２が、図２のようにＵＳＢなどのインタフェースにより有線で接続される場合、決済端末１が給電機能を具備すれば情報端末２から電力の供給を受けて動作することが可能となり、その反対も同様である。
【００１９】
図３はプリンタ部が組み込まれた状態の決済端末１を示す。決済端末１は、クレジットカードで決済した場合に発行される伝票を印字するプリンタ部１１、磁気カードリーダの情報を読取る磁気カードリーダ部１２、液晶などで構成され、決済手順や商品の情報等を表示する表示部１３で、この表示部の下側にはテンキーやファンクションキー等が並べられたキー操作部１４が設けられている。また、１５で示すのは、ＩＣカードを挿入して読取るためのＩＣカードリーダライタ部である。
【００２０】
プリンタ部１１は着脱可能な構造となっており、分離して使用することも可能である。決済端末１１の本体部分ははプリンタインタフェース部を有し、赤外線通信などによりワイヤレスでプリンタ部１１と接続されている。
【００２１】
さらに、この決済端末１は、耐タンパー構造となっており、また、磁気カードリーダやＩＣカードリーダから読取った情報は暗号化される。
【００２２】
本実施の形態の決済端末１は情報処理センタ４との間で直接決済データの送受信することはせず、情報端末２を介して行なう。情報端末２はＰＤＡ、ＰＣ、携帯電話等を使用し、それらが有する各種アプリケーションをそのまま使用することや、決済処理の他にもＰＤＡやＰＣの機能を幅広く利用することが出来る。
【００２３】
しかし、これら情報端末２はもともと決済処理用の端末として設計されておらず、耐タンパー性はほとんどない構造で、スキミングに対する防御は全くと言って良いほど弱い。従って、本実施の形態の情報端末２は決済端末１や情報処理センタ４との間の決済データの送受信において、データを何の処理することもなく転送し、単なる中継装置として機能させる。これにより、仮に情報端末２においてスキミングが行なわれ、データの盗聴があったとしても、重要なデータは全て暗号化されておりセキュリティが確保される。
【００２４】
情報端末２のデータ通信処理は、決済用の各種ファイルやテーブルで機密性を要求されるファイルやテーブルは決済端末にのみ保持しておき、情報端末には持たせない。しかし、データの盗聴があってもセキュリティ上特に問題のないデータについては情報端末側でデータの蓄積や加工を行なっても問題はない。
【００２５】
次に、本発明の実施の形態２について図４を用いて説明する。図４は本発明よりなる決済端末１の他の実施の形態で、決済端末と情報端末を組み合せることにより一体型の構成を可能としている。本実施の形態では、決済端末１０は上部にポケット部２２を有しこのポケット部２２にＰＤＡ２１を差し込んで用いる例について示している。
【００２６】
決済端末１０のポケット部２２内に設けられた図示しない外部機器通信部が、ＰＤＡ２１に設けられた決済端末１０への差込部にある外部インタフェースに接続されることで通信が可能となる。この場合もＰＤＡ２１は情報処理センタ４と決済データの送受信を行なうが、ＰＤＡ２１に設けたデータ転送処理部が前述の実施の形態と同じように送受信データの転送中継処理のみを行なう。この例では、決済端末１０にＰＤＡ２１を収納するポケット部を形成させているが、接続方法はこれに限定されない。また、携帯電話等の場合でも同様の構成をとることができる。
【００２７】
【発明の効果】
以上のように本発明によると、セキュリティ性の極めて高い決済端末と汎用性の極めて高い情報端末を決済処理システムに使用することが出来、安価で高セキュリティな決済処理のほかに、情報端末が有する幅広いアプリケーションの活用が可能となるという多大な効果が発揮出来る。
【図面の簡単な説明】
【図１】本発明よりなる決済端末の機能ブロック図
【図２】本発明の一実施の形態に係る決済処理システムのブロック図
【図３】本発明の一実施の形態に係る決済端末を示す正面図
【図４】本発明の他の実施の形態に係る決済端末を示す正面図
【図５】従来の決済処理システム図
【図６】従来の決済端末の機能ブロック図
【符号の説明】
１    決済端末
２    情報端末
３    通信回線
４    情報処理センタ
５    ＣＡＦＩＳ
６    クレジット会社または銀行の情報処理センタ
１０  決済端末
１１  プリンタ
１２  磁気カードリーダ
１３  表示装置
１４  キー入力部
１５  ＩＣカードＲ／Ｗ
２１  ＰＤＡ
２２  ポケット部
【図１】
2004355211.tif 000003
【図２】
2004355211.tif 000004
【図３】
2004355211.tif 000005
【図４】
2004355211.tif 000006
【図５】
2004355211.tif 000007
【図６】
2004355211.tif 000008